(57)【要約】【課題】動画信号を表示することにより内蔵電池が消耗し、動画信号表示以外の機能も使用できなくなることが無く、かつ表示装置を小型軽量な構成で実現可能な画像表示システムを提供することができる。【解決手段】表示装置２とサーバ装置１とが着脱可能な装置間配線３により接続されたうえでサーバ装置１から動画信号と動画表示用電力とを表示装置２に供給する。また、受信アンプ３１及びライト手段２７を、入力端子２６に印加された動画表示用電力で直接駆動する。装置間配線３が接続されていない場合には、表示装置バッテリー２４から電力を供給される表示画像生成手段２５が生成する静止画、文字情報等を表示する。【選択図】図３
2006119416.tif 000002
【特許請求の範囲】
【請求項１】
表示画像生成手段及び電源を内蔵する表示装置と、
動画信号と動画表示用電力とを前記表示手段に供給するサーバ装置と、
前記表示装置と前記サーバ装置との間に着脱可能な状態で接続される装置間配線とを有し、
前記表示装置と前記サーバ装置とが前記装置間配線により接続されているときは、前記表示装置は前記動画表示用電力を用いて動画を表示し、前記表示装置が前記サーバ装置と前記装置間配線により接続されていないときは、前記表示装置は、前記表示手段に内蔵された電源のみを用いて、前記表示画像生成手段が生成する静止画、文字情報等の、動画以外の画像情報を表示することを特徴とする画像表示システム。
【請求項２】
前記表示装置は、
画像を表示するための反射型表示デバイスと、
前記反射型表示デバイスを照明するためのフロントライトとを備え、
前記表示装置が前記サーバ装置と前記装置間配線により接続されているときは、前記表示装置は、前記装置間配線により伝送された前記動画表示用電力を用いて前記フロントライトを点灯したうえで、前記サーバ装置から装置間配線を経由して伝送された動画信号を表示し、
前記表示装置がサーバ装置と前記装置間配線により接続されていないときは、前記表示装置は、前記フロントライトを消灯して、前記表示画像生成手段が生成する静止画、文字情報等の、動画以外の画像情報を表示することを特徴とする請求項１に記載の画像表示システム。
【請求項３】
前記表示装置は、
画像を表示するための半透過型表示デバイスと、
前記半透過型表示デバイスに対して照明を施すためのバックライトとを備え、
前記表示装置と前記サーバ装置とが前記装置間配線により接続されているときは、前記表示装置は前記装置間配線により伝送された前記動画表示用電力を用いてバックライトを点灯したうえで、前記サーバ装置から前記装置間配線を経由して伝送された動画信号を表示し、
前記表示装置と前記サーバ装置とが前記装置間配線により接続されていないときは、前記表示装置はバックライトを消灯して前記表示画像生成手段が生成する静止画、文字情報等の、動画以外の画像情報を表示することを特徴とする請求項１に記載の画像表示システム。
【請求項４】
前記表示装置は、
前記サーバ装置から前記装置間配線を介して動画信号を受信する受信手段と、
前記受信手段からの動画信号と前記表示画像生成手段が生成する静止画、文字情報等の、動画以外の画像情報とを切り替えて出力する画像切替手段と、
前記画像切替手段の出力信号を表示する表示デバイスとを備え、
前記受信手段を前記装置間配線により伝送される動画表示用電力を用いて動作させることを特徴とする請求項１に記載の画像表示システム。
【請求項５】
前記サーバ装置は画像圧縮を施された圧縮動画信号を前記装置間配線により伝送し、
前記表示装置は前記受信手段が受信した圧縮動画信号に施されている画像圧縮を復号して非圧縮動画信号を生成し、画像切替手段に出力する画像復号手段を備え、
前記画像復号手段を前記装置間配線により伝送される動画表示用電力を用いて動作させることを特徴とする請求項４に記載の画像表示システム。
【請求項６】
前記動画表示用電力を用いて動作する部分は、前記装置間配線を着脱するためのコネクタに直接に接続され、電源切り替えの制御回路を使用せずコネクタの着脱によって電源のオン／オフを切り替えることを特徴とする請求項１から請求項５に記載の画像表示システム。
【請求項７】
前記画像復号手段はデジタル回路を用いて構成され、
さらに前記装置間配線の接続状態を検出する挿抜検出手段を具備し、
前記挿抜検出手段が前記装置間配線の未接続状態を検出した際には前記画像復号手段に供給されているクロックを停止することを特徴とする請求項５に記載の画像表示システム。
【請求項８】
前記画像切替手段はデジタル回路を用いて構成され、
さらに前記装置間配線の接続状態を検出する挿抜検出手段を具備し、
前記挿抜検出手段が前記装置間配線の未接続状態を検出した際には前記画像切替手段に供給されているクロックの周波数を、前記装置間配線が接続されている状態に対して低い周波数に変更することを特徴とする請求項５に記載の画像表示システム。
【請求項９】
前記サーバ装置は動画を含む番組情報を保存可能で、電池駆動で携行可能な構成としたことを特徴とする請求項１から請求項８に記載の画像表示システム。
【請求項１０】
前記サーバ装置はＴＶ放送を受信可能で、電池駆動で携行可能な構成としたことを特徴とする請求項１から請求項８に記載の画像表示システム。
【発明の詳細な説明】
【技術分野】
【０００１】
本発明は、電池などの電源で駆動される画像表示システムに関し、特に屋外に携帯して用い、動画を含む番組を視聴する目的に好適な画像表示システムに関するものである。
【背景技術】
【０００２】
携帯情報端末や携帯電話等の画像表示システムにおいては、従来、グラフィックスや静止画などの情報も、動画信号も、共通の内蔵電池を用いて表示していた。
【０００３】
しかし、一般に動画信号を表示するための装置は電力消費が大きい。特に液晶を用いた表示装置ではバックライト部の消費電力が画像表示システム全体の電力に占める割合が大きい。そこで消費電力と携帯性とを鑑み、従来の画像表示システムには外部からの電源供給と内蔵電池とを切り替えて用いるものがあった。
【０００４】
例えば、特許文献１には、外部電源使用時にはバックライトを明るく点灯し、外部電源を使用しないときにはバックライトを消灯するものが記載されている。また、特許文献２には、表示装置を本体に着脱自在な構成としたものが記載されている。表示装置が本体に装着されている場合、表示装置は本体の主電源部から電力供給を受けて駆動され、表示装置が本体から取り外された場合、表示装置は内設する副電源部から電力供給を受けて駆動されるものである。
【特許文献１】特開平６−１２４１５２号公報
【特許文献２】特開平５−２８２０７０号公報
【発明の開示】
【発明が解決しようとする課題】
【０００５】
しかしながら、従来の画像表示システムにおいては、グラフィックスや静止画などの情報も、動画信号も、共通の電源を用いて表示するため、動画信号を長時間表示すると電力を大幅に消費してしまう。このため、内蔵電池が消耗すると、外部電源を接続しない限り動画信号を扱う以外の機能も使用できなくなり、屋外などでの使用には支障をきたすという課題があった。
【０００６】
また、動画信号を記憶または受信するための構成、及びそれを駆動するための電池は、大きさ、重量の面でも画像表示システム全体に占める割合が大きいために、小型軽量な構成で、かつ、ユーザが手で保持したり、もしくは、腕などに装着するなど、視聴姿勢を長時間保持することができる装置を実現することが困難であった。
【０００７】
本発明は前記課題に鑑み、動画信号を長時間表示したために電池が消耗し動画信号表示以外の機能も使用できなくなることを無くし、かつ、表示部を小型軽量な構成で実現可能な画像表示システムを提供することを目的とする。
【課題を解決するための手段】
【０００８】
上記課題を解決するため、本願の請求項１の発明は、表示画像生成手段及び電源を内蔵する表示装置と、動画信号と動画表示用電力とを前記表示手段に供給するサーバ装置と、
前記表示装置と前記サーバ装置との間に着脱可能な状態で接続される装置間配線とを有し、前記表示装置と前記サーバ装置とが前記装置間配線により接続されているときは、前記表示装置は前記動画表示用電力を用いて動画を表示し、前記表示装置が前記サーバ装置と前記装置間配線により接続されていないときは、前記表示装置は、前記表示手段に内蔵された電源のみを用いて、前記表示画像生成手段が生成する静止画、文字情報等の、動画以外の画像情報を表示することを特徴とした画像表示システムである。
【０００９】
また、本願の請求項２の発明は、請求項１に記載の画像表示システムにおいて、前記表示装置は、画像を表示するための反射型表示デバイスと前記反射型表示デバイスを照明するためのフロントライトとを備え、前記表示装置が前記サーバ装置と前記装置間配線により接続されているときは、前記表示装置は、前記装置間配線により伝送された前記動画表示用電力を用いて前記フロントライトを点灯したうえで、前記サーバ装置から装置間配線を経由して伝送された動画信号を表示し、前記表示装置がサーバ装置とが前記装置間配線により接続されていないときは、前記表示装置は、前記フロントライトを消灯して、前記表示画像生成手段が生成する静止画、文字情報等の、動画以外の画像情報を表示することを特徴とする画像表示システムである。
【００１０】
また、本願の請求項３の発明は、請求項１に記載の画像表示システムにおいて、前記表示装置は画像を表示するための半透過型表示デバイスと前記半透過型表示デバイスに対して照明を施すためのバックライトとを備え、前記表示装置と前記サーバ装置とが前記装置間配線により接続されているときは、前記表示装置は前記装置間配線により伝送された前記動画表示用電力を用いてバックライトを点灯したうえで、前記サーバ装置から前記装置間配線を経由して伝送された動画信号を表示し、前記表示装置と前記サーバ装置とが前記装置間配線により接続されていないときは、前記表示装置はバックライトを消灯して前記表示画像生成手段が生成する静止画、文字情報等の、動画以外の画像情報を表示することを特徴とする画像表示システムである。
【００１１】
また、本願の請求項４の発明は、請求項１に記載の画像表示システムにおいて、前記表示装置は前記サーバ装置から前記装置間配線を介して動画信号を受信する受信手段と前記受信手段からの動画信号と前記表示画像生成手段が生成する静止画、文字情報等の、動画以外の画像情報とを切り替えて出力する画像切替手段と前記画像切替手段の出力信号を表示する表示デバイスとを備え、前記受信手段を前記装置間配線により伝送される動画表示用電力を用いて動作させることを特徴とする画像表示システムである。
【００１２】
また、本願の請求項５の発明は、請求項４に記載の画像表示システムにおいて、前記サーバ装置は画像圧縮を施された圧縮動画信号を前記装置間配線により伝送し、前記表示装置は前記受信手段が受信した圧縮動画信号に施されている画像圧縮を復号して非圧縮動画信号を生成し、画像切替手段に出力する画像復号手段を備え、前記画像復号手段を前記装置間配線により伝送される動画表示用電力を用いて動作させることを特徴とする画像表示システムである。
【００１３】
また、本願の請求項６の発明は、請求項１から請求項５に記載の画像表示システムにおいて、前記動画表示用電力を用いて動作する部分は、前記装置間配線を着脱するためのコネクタに直接に接続され、電源切り替えの制御回路を使用せずコネクタの着脱によって電源のオン／オフを切り替えることを特徴とする画像表示システムである。
【００１４】
また、本願の請求項７の発明は、請求項５に記載の画像表示システムにおいて、前記画像復号手段はデジタル回路を用いて構成され、さらに前記装置間配線の接続状態を検出する挿抜検出手段を具備し、前記挿抜検出手段が前記装置間配線の未接続状態を検出した際には前記画像復号手段に供給されているクロックを停止することを特徴とする画像表示システムである。
【００１５】
また、本願の請求項８の発明は、請求項５に記載の画像表示システムにおいて、前記画像切替手段はデジタル回路を用いて構成され、さらに前記装置間配線の接続状態を検出する挿抜検出手段を具備し、前記挿抜検出手段が前記装置間配線の未接続状態を検出した際には前記画像切替手段に供給されているクロックの周波数を、前記装置間配線が接続されている状態に対して低い周波数に変更することを特徴とする画像表示システムである。
【００１６】
また、本願の請求項９の発明は、請求項１から請求項８に記載の画像表示システムにおいて、前記サーバ装置は動画を含む番組情報を保存可能で、電池駆動で携行可能な構成としたことを特徴とする画像表示システムである。
【００１７】
また、本願の請求項１０の発明は、請求項１から請求項８に記載の画像表示システム  において、前記サーバ装置はＴＶ放送を受信可能で、電池駆動で携行可能な構成とした  ことを特徴とする画像表示システムである。
【発明の効果】
【００１８】
本発明の画像表示システムは、上記構成を有しているので、表示装置とサーバ装置とが着脱可能な装置間配線により接続されたうえで、サーバ装置から動画信号と動画表示用電力とを表示装置に供給する。したがって、本発明の画像表示システムは、動画信号を表示することで電池寿命が短くなって動画信号表示以外の機能も使用できなくなることが無くなり、かつ、表示部が小型軽量に構成でき、表示部を片手で持ったり、または、腕に装着して容易に使用することを可能にするシステムを提供することができる。
【発明を実施するための最良の形態】
【００１９】
以下、本発明の画像表示システムについて、図面を参照しながら説明する。
【００２０】
（実施の形態１）
図１に本発明の実施の形態１における画像表示システムの使用形態を示す。図１において、１はサーバ装置、２は表示装置、３は装置間配線である。
【００２１】
ユーザは、サーバ装置１をポケット等に入れる。また、表示装置２を腕に装着する。ユーザは動画を見る際には、図１に示したようにサーバ装置１と表示装置２とを装置間配線３により接続する。このとき、表示装置２にはサーバ装置１から動画信号及び動画表示用電力が供給される。
【００２２】
動画を記憶もしくは受信するための構成、及び動画表示分も含めた駆動電力を保持するための電池は大きさ、重量の面で大きくなるため、これらを一体化したうえで表示装置２のような腕に装着可能な構成にすることは困難である。しかし、図１に示したように表示部分だけであれば腕に装着可能な構成や片手で持つという構成を実現可能である。
【００２３】
一方で、動画を記憶もしくは受信するための構成、及び動画表示分も含めた電池を含むサーバ装置１はやや大きい構成となるため、ポケットや鞄などに入れて持ち歩く使用形態となる。
【００２４】
図２に本発明の実施の形態１における表示装置２の使用形態を示す。図１と共通の要素については、図１と同一番号を付与している。４はコネクタ、５は表示画面、６、７は操作スイッチである。
【００２５】
ユーザは動画を見ない場合には、装置間配線３を接続するためのコネクタ４を表示装置２から取り外し、サーバ装置１とともにポケット等に保存する。このとき表示装置２は動画表示を行わないが、単独で腕時計として機能する、あるいは、静止画を表示してアクセサリとして利用するなど小型・軽量・低消費電力で実行可能なアプリケーションを実装する。このようなアプリケーションを実行するために必要な電力は、表示装置２に内蔵された電池から供給される。
【００２６】
動画を見るためにコネクタ４を表示装置２に接続している間は、動画を見るための電力はサーバ装置１から供給されている。従って、動画を長時間見たためにサーバ装置１の内蔵電池の寿命を過ぎてしまった場合、当然動画を視聴することはできなくなるが、表示装置２は内蔵された電池で腕時計、静止画表示などのアプリケーションを実行可能である。
【００２７】
図３に本発明の実施の形態１における画像表示システムのブロック図を示す。図１と共通の要素については、図１と同一番号を付与している。１０はサーバ電源部、１１は表示電源生成部、１２と１５は、それぞれ、動画用と表示電源用の出力端子、１３は記憶手段、１４は転送手段、２０、２６は、それぞれ、動画用と表示用の入力端子、２１は受信手段、２２は表示画像切替手段、２３は表示デバイス、２４は表示装置に内蔵された表示装置バッテリー、２５は表示画像生成手段、２７は照明用のライト手段である。
【００２８】
表示デバイス２３としては、反射型液晶や半透過型液晶などが用いられる。表示デバイス２３が反射型液晶であった場合、ライト手段２７としてはフロントライトが、表示デバイス２３が半透過型液晶であった場合、ライト手段２７としては蛍光管や白色ＬＥＤなどのバックライトが用いられる。また、装置間配線３のコネクタ４は、図２に示すように、入力端子２０と入力端子２６を一つにまとめて表示装置２に接続される。
【００２９】
サーバ電源部１０は容量の大きい電池と定電圧回路により構成され、記憶手段１３、転送手段１４、及び表示電源生成部１１に電力を供給する。表示電源生成部１１は、サーバ電源部１０からの電力に基づき、表示装置２へ電力を供給するために適した電圧や波形を生成し、出力端子１２、装置間配線３を介して表示装置２の入力端子２６に供給される。
【００３０】
記憶手段１３は光ディスク、ハードディスク、半導体メモリなどの記憶メディアと、その駆動系で構成される。記憶手段１３は、予め動画信号を記憶しており、必要に応じて転送手段１４に出力する。転送手段１４は入力した動画信号を、表示装置２へ転送するために適した信号形態に変換し、出力端子１５、装置間配線３を介して、表示装置２の入力端子２０へ転送する。
【００３１】
なお、ここで記憶手段１３の代わりにＴＶ放送を受信するためのチューナを用い、予め記憶した動画信号の代わりに、受信した動画信号を伝送するようにしても良い。
【００３２】
表示装置２にコネクタ４が接続されている場合、すなわち入力端子２０に動画信号が転送され、入力端子２６に動画表示用電力が供給されている場合、表示装置２は表示デバイス２３に転送された動画信号を表示する。
【００３３】
受信手段２１は、入力端子２６に供給された動画表示用電力により駆動され、入力端子２０に転送された動画信号を受信して表示画像切替手段２２に出力する。表示画像切替手段２２は受信手段２１から入力された動画信号を選択して表示デバイス２３に出力する。また、ライト手段２７は、入力端子２６に供給された動画表示用電力により点灯され、表示デバイス２３を適切に照明することで動画を美しく表示させる。
【００３４】
表示装置２にコネクタ４が接続されていない場合、表示装置２は表示画像生成手段が生成する画像信号を表示する。入力端子２６に動画表示用電力が供給されていないため、受信手段２１は動作せず、したがって電力を消費しない。また、ライト手段２７も点灯しないため、表示デバイス２３は入射する外光を反射することで文字、静止画等を表示する。
【００３５】
表示装置バッテリー２４は、表示画像生成手段２５及び表示画像切替手段２２に電力を供給する。表示画像生成手段２５は腕時計、静止画表示などのアプリケーションに対応する画像を生成し、表示画像切替手段２２に出力する。表示画像切替手段２２は、表示画像生成手段２５から入力された画像を選択し、表示デバイス２３に出力する。
【００３６】
図４に本発明の実施の形態１における画像表示システムの、さらに詳細なブロック図を示す。図３と共通の要素については、図３と同一番号を付与している。３０はＤＡ変換器（以下、ＤＡＣ）、３１は受信アンプ、３２はアナログスイッチ、３３はドライバ、３４は挿抜検出手段、４０はＣＰＵ、４１はＲＡＭ、４２はＲＯＭ、４３は入出力ポート（以下、Ｉ／Ｏ）、４４は他のＲＡＭ、４５はディスプレイコントローラ、４６はＤＡＣである。
【００３７】
サーバ装置１において、記憶手段１３は動画信号を非圧縮デジタル信号としてＤＡＣ３０に出力する。ＤＡＣ３０は入力された動画信号をアナログ動画信号として出力端子１５、装置間配線３、入力端子２０を介して受信アンプ３１に出力する。受信アンプ３１は入力されたアナログ動画信号を必要に応じて増幅し、アナログスイッチ３２に出力する。
【００３８】
一方、サーバ装置１から装置間配線３、入力端子２６を介して入力された動画表示用電力は、受信アンプ３１、挿抜検出手段３４、ライト手段２７に供給される。挿抜検出手段３４は入力端子２６に電圧が印加されたことを電気的に検出し、その結果を表示画像生成手段２５内のＩ／Ｏ４３に出力する。なお、挿抜検出手段３４は入力端子２６に装置間配線３が物理的に接続されたことを機械的、もしくは、光学的な方法により検出するようにしても良い。
【００３９】
表示画像生成手段２５は、ＣＰＵ４０上で実行されるソフトウエアにより、腕時計、静止画表示などのアプリケーションに対応する画像を生成するとともに、表示装置２の各部の制御も行う。ＣＰＵ４０上で実行されるソフトウエアはあらかじめＲＯＭ４２に記憶されており、表示装置２の電源が入るとともに順次ＣＰＵ４０上で実行される。ＲＡＭ４１はソフトウエアの実行に必要なデータを保持するための主記憶である。
【００４０】
ＣＰＵ４０上で実行されるソフトウエアが生成する画像は、表示画像用のもう一つのＲＡＭ４４に一旦書き込まれる。ここで、ＲＡＭ４４はデュアルポートメモリとなっており、ＣＰＵ４０から画像が書き込まれると同時に、ディスプレイコントローラ４５の制御により、表示デバイス２３で表示可能な画像の形態に合わせたタイミングで内容を読み出される。ＲＡＭ４４から読み出された画像信号はＤＡＣ４６によりアナログ画像信号としてアナログスイッチ３２に出力される。
【００４１】
一方で、ＣＰＵ４０上のソフトウエアは、挿抜検出手段３４が検出した入力端子２６への電源供給状況を、Ｉ／Ｏ４３経由で読み込み、動画表示用電力が装置間配線３により供給されているときは、アナログスイッチ３２を制御して受信アンプ３１から入力されたアナログ動画信号をドライバ３３に出力させる。ドライバ３３は入力されたアナログ動画信号に応じて表示デバイス２３を駆動し、動画信号を表示させる。このとき、ライト手段２７は動画表示用電力が供給されているため、点灯して表示デバイス２３に照明を施し、動画を美しく表示させる。
【００４２】
装置間配線３が表示装置２から取り外され、動画表示用電力が入力端子２６に供給されていない場合、そのことがＩ／Ｏ４３経由で、ＣＰＵ４０上において実行されているソフトウエアに通知される。ＣＰＵ４０上で実行されているソフトウエアは、Ｉ／Ｏ４３経由でアナログスイッチ３２を制御し、ＲＡＭ４４に書き込んだ画像をドライバ３３経由で表示デバイス２３に表示させる。
【００４３】
このとき、受信アンプ３１及びライト手段２７には電源が供給されないため、表示装置２においては、ＲＡＭ４４に書き込まれた画像を表示デバイス２３に表示させるために必要な最低限の電力のみが消費される。
【００４４】
以上、実施の形態１においては、表示装置２とサーバ装置１とが着脱可能な装置間配線３により接続されたうえでサーバ装置１から動画信号と動画表示用電力とを表示装置２に供給することで、動画信号を表示することにより電池が消耗されてしまい動画信号表示以外の機能も使用できなくなることを防ぎ、かつ、表示装置２を小型軽量な構成で実現可能な画像表示システムを提供することができる。
【００４５】
また、受信アンプ３１及びライト手段２７を、入力端子２６に印加された動画表示用電力で直接駆動することで、特別な制御用のハードウエアを加えることなく受信アンプ３１及びライト手段２７への電力供給のオン／オフを装置間配線３（コネクタ４）の挿抜で簡単に切り替えることができる。
【００４６】
（実施の形態２）
実施の形態２においては、動画信号としてアナログ動画信号ではなく、画像圧縮を施された圧縮デジタル動画信号を、装置間配線３を用いて伝送する構成を示す。
【００４７】
図５に本発明の実施の形態２における画像表示システムのブロック図を示す。図４と共通の構成要素については同一番号を付与し、詳細な説明を省略する。５０は送信回路、５１は受信回路、５２は画像復号手段（以下デコーダ）、５３はセレクタ、５４はバッファである。
【００４８】
記憶手段１３にはあらかじめ画像圧縮を施された圧縮デジタル動画信号が記憶されている。記憶手段１３から読み出された圧縮デジタル動画信号は送信回路５０により、装置間配線３を介して伝送しやすい形態に変換され、受信回路５１に伝送される。このような構成は例えば、記憶手段１３にＭＰＥＧ２トランスポートストリーム形式で動画信号を記憶させておき、送信回路５０及び受信回路５１をＩＥＥＥ１３９４プロトコルに準拠した送受信回路とすることで実現可能である。
【００４９】
受信回路５１が受信した圧縮デジタル動画信号は、デコーダ５２に出力される。デコーダ５２は入力された圧縮デジタル動画信号に対して画像圧縮復号を施し、非圧縮デジタル画像信号を復元してセレクタ５３に出力する。
【００５０】
一方、サーバ装置１から装置間配線３、入力端子２６を介して入力された動画表示用電力は、受信回路５１、デコーダ５２、挿抜検出手段３４、ライト手段２７に供給される。挿抜検出手段３４は入力端子２６に電圧が印加されたことを電気的に検出し、その結果を表示画像生成手段２５内のＩ／Ｏ４３に出力する。
【００５１】
本実施の形態においては、ＣＰＵ４０上で実行されるソフトウエアが生成する画像は、表示画像用のＲＡＭ４４に一旦書き込まれ、読み出された後ＤＡＣではなくバッファ５４を経由してデジタル画像信号のままセレクタ５３に出力される。
【００５２】
一方で、ＣＰＵ４０上のソフトウエアは、挿抜検出手段３４が検出した入力端子２６への電源供給状況を、Ｉ／Ｏ４３経由で読み込み、動画表示用電力が装置間配線３により供給されているときは、セレクタ５３を制御して受信回路５１から入力された非圧縮デジタル動画信号をドライバ３３に出力させる。ドライバ３３は入力された非圧縮デジタル動画信号に応じて表示デバイス２３を駆動し、動画信号を表示させる。このとき、ライト手段２７は動画表示用電力が供給されているため、点灯して表示デバイス２３に照明を施し、動画を美しく表示させる。
【００５３】
装置間配線３が表示装置２から取り外され、動画表示用電力が入力端子２６に供給されていない場合、そのことがＩ／Ｏ４３経由でＣＰＵ４０上において実行されているソフトウエアに通知される。ＣＰＵ４０上で実行されているソフトウエアは、Ｉ／Ｏ４３経由でセレクタ５３を制御し、ＲＡＭ４４に書き込んだ画像をドライバ３３経由で表示デバイス２３に表示させる。
【００５４】
このとき、受信回路５１、デコーダ５２、挿抜検出手段３４及びライト手段２７には電源が供給されないため、表示装置２においてはＲＡＭ４４に書き込まれた画像を表示デバイス２３に表示させるために必要な最低限の電力のみが消費される。特にデコーダ５２は一般的に消費電力の大きい回路であるため、デコーダ５２の供給電源を使用しないことにより、大幅な低消費電力化を期待できる。
【００５５】
以上、実施の形態２においては、動画信号としてアナログ動画信号ではなく、画像圧縮を施された圧縮デジタル動画信号を、装置間配線３を用いて伝送することで、装置間配線３においてノイズの影響を受けて画質が劣化することを防ぐことができる。さらに動画表示を行わないときにはデコーダ５２の電源を内蔵電池から供給しないことにより、大幅な低消費電力化を期待できる。
【００５６】
（実施の形態３）
実施の形態３においては、装置間配線の未接続状態を検出した際には画像復号手段（デコーダ５２）に供給されているクロックを停止する構成を示す。
【００５７】
図６に本発明の実施の形態３における表示装置２のブロック図を示す。図５と共通の構成要素については同一番号を付与し、詳細な説明を省略する。６０はクロック発生手段、６１はクロックバッファである。
【００５８】
図６の構成においては、受信回路５１及びデコーダ５２を駆動するための電力は表示装置バッテリー２４から供給されている。また、動作クロックはクロック発生手段６０により発生され、クロックバッファ６１、表示画像生成手段２５、セレクタ５３、ドライバ３３に供給される。
【００５９】
クロックバッファ６１は動画表示用電力が装置間配線３により供給されているときは、クロック発生手段６０が生成したクロックを受信回路５１及びデコーダ５２に送信する。
一方、装置間配線３が接続されておらず、動画表示用電力が装置間配線３に接続されてない間は、受信回路５１及びデコーダ５２に供給されるクロックがクロックバッファ６１により停止される。このとき、受信回路５１及びデコーダ５２が消費する電力が削減される。
【００６０】
以上、実施の形態３においては、装置間配線の未接続状態を検出した際には画像復号手段（デコーダ）に供給されているクロックを停止する構成を用いることで、よりＬＳＩ化に適した表示装置を構成することが可能である。
【００６１】
（実施の形態４）
実施の形態４においては、実施の形態３に示した構成に対し、さらに装置間配線が未接続である場合には、画像切替手段やその周辺回路に供給されているクロックの周波数を、前記装置間配線が接続されている状態に対して低速にすることで、さらなる低消費電力化を実現する構成を示す。
【００６２】
図７に本発明の実施の形態４における表示装置２のブロック図を示す。図６と共通の構成要素については同一番号を付与し、詳細な説明を省略する。７０は分周回路である。
【００６３】
図７において、装置間配線３が表示装置２に接続され、動画表示用電力が入力端子２６に供給されている場合、ＣＰＵ４０上のソフトウエアは、挿抜検出手段３４が検出した入力端子２６への電源供給状況をＩ／Ｏ４３経由で読み込み、動画表示用電力が装置間配線３により供給されているときは、分周回路７０を制御してクロック発生回路６０から入力されたクロックをそのままクロックバッファ６１、表示画像生成手段２５、セレクタ５３及びドライバ３３に供給する。
【００６４】
一方、装置間配線３が表示装置２から取り外され、動画表示用電力が入力端子２６に供給されていない場合、そのことがＩ／Ｏ４３経由でＣＰＵ４０上において実行されているソフトウエアに通知される。ＣＰＵ４０上で実行されているソフトウエアは、Ｉ／Ｏ４３経由で分周回路７０を制御し、クロック発生回路６０が発生したクロックを分周して、低速になったクロックをクロックバッファ６１、表示画像生成手段２５、セレクタ５３及びドライバ３３に供給する。なお、このときクロックバッファ６１は受信回路５１及びデコーダ５２へクロックを出力しないよう別途制御されている。
【００６５】
このとき、表示画像生成手段２５、セレクタ５３、ドライバ３３の動作速度は当然遅くなるが、動画の表示を行わないため、余り高速動作は必要としない。従ってＣＰＵ４０上で実行されているソフトウエアがグラフィックス画像を生成するために最低限必要となるようなクロックが生成されるように分周回路７０が制御され、装置間配線３が表示装置２に接続されている場合に対して周波数の低いクロックが出力される。
【００６６】
以上、実施の形態４においては、装置間配線３が接続されていない場合の消費電力をさらに抑えることが可能である。
【産業上の利用可能性】
【００６７】
本発明にかかる画像表示システムは、電子機器、たとえば、携帯型ＤＶＤプレーヤ、携帯型テレビ、あるいは、携帯型ビデオなどとして有用である。特に、ユーザーは、普段、
移動中に腕時計やアクセサリとして利用して、人、催し事、交通機関などの待ち時間に動画を含む番組を視聴する携帯型ＤＶＤプレーヤ、携帯型テレビ及び携帯型ビデオなどに適している。
【図面の簡単な説明】
【００６８】
【図１】本発明の実施の形態１における画像表示システムの使用形態を示す図
【図２】本発明の実施の形態１における表示装置２の使用形態を示す図
【図３】本発明の実施の形態１における画像表示システムのブロック図
【図４】本発明の実施の形態１における画像表示システムのより詳細なブロック図
【図５】本発明の実施の形態２における画像表示システムのブロック図
【図６】本発明の実施の形態３における表示装置２のブロック図
【図７】本発明の実施の形態４における表示装置２のブロック図
【符号の説明】
【００６９】
１  サーバ装置
２  表示装置
３  装置間配線
４  コネクタ
５  表示画面
６、７  操作スイッチ
【図１】
2006119416.tif 000003
【図２】
2006119416.tif 000004
【図３】
2006119416.tif 000005
【図４】
2006119416.tif 000006
【図５】
2006119416.tif 000007
【図６】
2006119416.tif 000008
【図７】
2006119416.tif 000009